(57)【要約】【課題】            被着体（例えば、自動車のホイール）に粘着剤層で粘着したバランスウエイトを、被着体を傷付けることなく効率よく容易に剥ぎ取ることができる粘着式バランスウエイトの剥ぎ取り器具を提供する。【解決手段】        把持部と該把持部より二股状に分岐する支持部材と、該支持部材の先端間に張設した線状体とより成り、被着体に粘着したバランスウエイトの粘着剤層と被着体との間に線状体を引き入れ又は押し入れて、被着体よりバランスウエイトを剥ぎ取ることを特徴とする。【選択図】          図２
2011092878.tif 000002
【特許請求の範囲】
【請求項１】
把持部と該把持部より二股状に分岐する支持部材と、該支持部材の先端間に張設した線状体とより成り、被着体に粘着したバランスウエイトの粘着剤層と被着体との間に線状体を引き入れ又は押し入れて、被着体よりバランスウエイトを剥ぎ取ることを特徴とする粘着式バランスウエイトの剥ぎ取り器具。
【請求項２】
把持部と、該把持部より二股状に分岐する支持部材と、該支持部材の先端間に張設した線状体とより成り、
該線状体は、通電することにより加熱する線状体であり、該線状体は、スイッチを介し電源に接続され、被着体に粘着したバランスウエイトの粘着剤層と被着体との間に加熱した前記線状体を引き入れ又は押し入れて、被着体よりバランスウエイトを剥ぎ取ることを特徴とする粘着式バランスウエイトの剥ぎ取り器具。
【請求項３】
前記把持部には電池の収納室が設けられ、前記電源は、該収納室に収納された電池であることを特徴とする請求項２記載の粘着式バランスウエイトの剥ぎ取り器具。
【発明の詳細な説明】
【技術分野】
【０００１】
この発明は、自動車のホイール、洗濯機、ゴルフクラブ、模型飛行機、釣り具、その他のバランスの修正を必要とする被着体に、粘着剤層で粘着したバランスウエイトの剥ぎ取り器具に関する。
【背景技術】
【０００２】
例えば、自動車の車輪を構成するホイール（被着体）には、回転時にアンバランスが起因として発生する自動車走行時の振動、騒音などを防止するためバランスウエイトが装着して使用される。
このバランスウエイトには、ウエイトをクリップでホイールのリム部に取り付けるものと（例えば、特許文献１、２、３および４参照）、ウエイトを粘着剤層でホイールに粘着するもの（例えば、特許文献５、６、７、８および９参照）、とがある。このウエイトを粘着剤層でホイールに粘着するものには、ウエイトが長尺な板状となり、これを所定重量に切断して使用するタイプ（例えば、前記特許文献５、６および８参照）のものと、ウエイトが所定重量ずつに分離されているタイプ（例えば、前記特許文献６、７、８および９参照）とがある。
【０００３】
このようなバランスウエイトは、ホイールに取り付けた後に、取り外したい場合が発生する。ホイールのリム部にクリップで取り付けたバランスウエイトは、リム部からクリップを取り外すことで取り除くことができるが、ホイールに粘着剤層で粘着したバランスウエイトは、剥ぎ取ることが容易ではないため、ドライバなどの工具を使用して剥ぎ取っていた。しかし、ドライバなどの工具を使用して剥ぎ取るのでは、ドライバなどの工具でホイールを傷付けたり、作業性が悪い、などの課題がある。そこで、長尺帯状のものから所定重量のウエイトに切断する切断工具にバランスウエイトを剥ぎ取る剥し爪を設けた工具（例えば、特許文献１０参照）が提供された。
【先行技術文献】
【特許文献】
【０００４】
【特許文献１】実開昭５２−４５９０１号公報
【特許文献２】特開平９−４９５４９号公報
【特許文献３】実開昭６１−７２４０２号公報
【特許文献４】実用新案登録第３０４２１２８号公報
【特許文献５】実開昭５０−９１２０１号公報
【特許文献６】実用新案登録第３０５５１８５号公報
【特許文献７】米国特許第３，９６０，４０９号公報
【特許文献８】特開２００１−９０７８３号公報
【特許文献９】特開２００９−１７４７１２号公報
【特許文献１０】実用新案登録第３０１９２６３号公報
【発明の概要】
【発明が解決しようとする課題】
【０００５】
しかしながら、従来の剥し爪を備える切断工具においても、粘着したバランスウエイトの粘着剤層とホイールとの間に剥し爪を介入させて剥がし取るため、剥し爪でホイールを傷付ける課題がある。又、特許文献７および９に示すような所定重量のウエイトの複数を列設して粘着して使用するものでは、複数のウエイトの１個ずつが分離独立しているために、剥し爪で各個のウエイトを剥がし取らなければならないので、作業性が悪いと共に、その分ホイールを傷付けることも多くなる課題がある。
【０００６】
この発明は、このような課題を解決せんと提案されたものであり、その目的は、被着体（例えば、自動車のホイール）に粘着剤層で粘着したバランスウエイトを、被着体を傷付けることなく効率よく容易に剥ぎ取ることができる粘着式バランスウエイトの剥ぎ取り器具の提供にある。
【課題を解決するための手段】
【０００７】
前記目的を達成するために、この発明の粘着式バランスウエイトの剥ぎ取り器具は、把持部と該把持部より二股状に分岐する支持部材と、該支持部材の先端間に張設した線状体とより成り、被着体に粘着したバランスウエイトの粘着剤層と被着体との間に線状体を引き入れ又は押し入れて、被着体よりバランスウエイトを剥ぎ取ることを特徴とする。
【０００８】
この構成により、把持部を手に持って被着体（例えば、自動車のホイール）に粘着したバランスウエイトの粘着剤層と被着体との間に線状体を引き入れ又は押し入れると、線状体は粘着剤層と被着体との境界付近を移動し、被着体よりバランスウエイトを簡単に剥ぎ取ることができる。このときのバランスウエイトの粘着剤層と被着体との間に引き入れ又は押し入れられるのは、線状体であるので、被着体、例えばホイールを傷付けることもない。
なお、ここで被着体に粘着したバランスウエイトの粘着剤層と被着体との間とは、粘着剤層と被着体との接触面（境界面）だけでなく、多少粘着剤層側に位置する部分も含む意味である。バランスウエイトの粘着剤層は厚さがあるので、線状体はこの厚みのある粘着剤層に入って移動し、バランスウエイトを剥ぎ取る場合もあるからである。
【０００９】
また、この発明の粘着式バランスウエイトの剥ぎ取り器具は、把持部と、該把持部より二股状に分岐する支持部材と、該支持部材の先端間に張設した線状体とより成り、
該線状体は、通電することにより加熱する線状体であり、該線状体は、スイッチを介し電源に接続され、被着体に粘着したバランスウエイトの粘着剤層と被着体との間に加熱した前記線状体を引き入れ又は押し入れて、被着体よりバランスウエイトを剥ぎ取ることを特徴とする。
【００１０】
この構成により、線状体は加熱することができ、この加熱した線状体を、被着体に粘着したバランスウエイトの粘着剤層と被着体との間に引き入れ又は押し入れるので、加熱した線状体で粘着剤層が軟化し、粘着剤層と被着体との間に少しの力で容易に進入し、粘着剤層と被着体との間に沿って移動しバランスウエイトをより簡単に剥ぎ取ることができる。そのため作業効率も向上する。
【００１１】
また、この発明の粘着式バランスウエイトの剥ぎ取り器具の前記把持部には電池の収納室が設けられ、前記電源は、該収納室に収納された電池であることを特徴とする。
この構成により、前記作用、効果の他に携帯することも可能となる。
【発明の効果】
【００１２】
この発明の粘着式バランスウエイトの剥ぎ取り器具によれば、次のような効果を奏する。
（１）把持部を手に持って被着体に粘着したバランスウエイトの粘着剤層と被着体との間に線状体を引き入れ又は押し入れて、粘着剤層と被着体との境界付近に沿って移動させるだけで、粘着したバランスウエイトを被着体より簡単、容易に剥ぎ取ることができる。
（２）線状体は加熱することができるので、被着体に粘着したバランスウエイトの粘着剤層と被着体との間に引き入れ又は押し入れて、粘着剤層と被着体との境界付近に沿って移動させるときに、加熱した線状体で粘着剤層を軟化させることができ、線状体を粘着剤層と被着体との間に引き入れたり又は押し入れたりすることや、粘着剤層と被着体との境界付近に沿って移動させることが簡単・容易となり、粘着したバランスウエイトの剥ぎ取りがより一層容易となると共に、作業効率が向上する。
（３）被着体に接触するのは線状体であるので、バランスウエイトの剥ぎ取り作業で、被着体（例えば、自動車のホイール）を傷付けることもない。
（４）また、把持部には電池の収納室が設けられ、ここに電源としての電池を収納できるので、携帯の作業が可能となる。なお、コンセントやプラグを設け、商用電源を使用してもよいことは当然である。
【図面の簡単な説明】
【００１３】
【図１】この発明の実施の形態を示す粘着式バランスウエイトの剥ぎ取り器具の斜視図である。
【図２】この発明の他の実施の形態を示す粘着式バランスウエイトの剥ぎ取り器具の斜視図である。
【図３】この発明の実施の形態に係る粘着式バランスウエイトの剥ぎ取り器具の使用状態を示す斜視図である。
【図４】この発明の実施の形態に係る粘着式バランスウエイトの剥ぎ取り器具の使用状態を示す断面図である。
【発明を実施するための形態】
【００１４】
以下、この発明の実施の形態の粘着式バランスウエイトの剥ぎ取り器具を、図面と共に詳細に説明する。図１は、この発明の実施の形態に係る粘着式バランスウエイトの剥ぎ取り器具の斜視図である。
【００１５】
この図１に示す実施の形態の粘着式バランスウエイトの剥ぎ取り器具１Ａは、把持部２と、該把持部２より二股状に分岐して同方向に延出する支持部材３ａ、３ｂと、該支持部材３ａ、３ｂの先端間に張設した線状体４とより構成されている。この粘着式バランスウエイトの剥ぎ取り器具１Ａは、被着体に粘着したバランスウエイトの粘着剤層と被着体との間に線状体４を引き入れ又は押し入れて被着体よりバランスウエイトを剥ぎ取るものである。
【００１６】
把持部２は、剥ぎ取り器具１Ａを持って作業する時に、手に持つ部分であり、手で把持し易い形状が好ましい。
支持部材３ａ、３ｂは、把持部２より二股状に同方向に延出し、先端間に張設される線状体４を支持する部材である。
この把持部２と支持部材３ａ、３ｂは、一体に成形されても、別部材で形成されてもよいが、合成樹脂等での一体成形が、安価に多量生産できるし、外観の見栄えもよくできるので好ましい。
【００１７】
線状体４は、被着体に粘着したバランスウエイトの粘着剤層と被着体との間に引き入れ又は押し入れて被着体よりバランスウエイトを剥ぎ取る部材であるので、この粘着剤層と被着体との間に引き入れ又は押し入れても切断しない強度のものを採用する。例えば、ピアノ線や釣り糸などを例示できる。
また、支持部材３ａ、３ｂは、被着体に粘着したバランスウエイトの粘着剤層と被着体との間に引き入れ又は押し入れる線状体４を支持する部材であるので、線状体４を引き入れたり、押し入れる時の負荷がかかるので、その負荷に耐える強度が必要である。
【００１８】
図２は、この発明の他の実施の形態を示す粘着式バランスウエイトの剥ぎ取り器具の斜視図である。この図２に示す実施の形態の粘着式バランスウエイトの剥ぎ取り器具１Ｂは、線状体が通電することにより加熱する線状体４ａで構成されており、電源に連結され加熱できるようになっていることに特徴があり、他は前記実施の形態と同様であるので、同様の構成要素には同一符号を付して説明する。
【００１９】
図２に示す粘着式バランスウエイトの剥ぎ取り器具１Ｂは、把持部２と、該把持部２より二股状に分岐して同方向に延出する支持部材３ａ、３ｂと、該支持部材３ａ、３ｂの先端間に張設された線状体４ａとより成り、該線状体４ａは、通電することにより加熱する線状体である。前記把持部２には電池の収納室５が設けられ、該収納室５には電源としての電池６が収納されている。前記線状体４ａと該電池６とは、スイッチ７を介し配線８で連結されている。配線８は、支持部材３ａ、３ｂの内部に設けるのが好ましい。従って、この実施の形態の粘着式バランスウエイトの剥ぎ取り器具１Ｂでは、スイッチをＯＮすることによって線状体４ａに通電し、線状体４ａを加熱することができる。
なお、電池の収納室５には、蓋体（図示省略）を開閉可能に設けると、電池の交換が容易にできるので好ましい。
【００２０】
通電することによって加熱する線状体４ａとしては、ニクロム線を例示できるが、他の公知のものも採用できる。この通電することによって加熱する線状体４ａの、粘着剤層と被着体との境界付近に沿っての移動では、加熱した線状体４ａで粘着剤層を軟化させつつ行われるので、比較的に小さい外力で可能となる。従って、線状体４ａにかかる負荷も小さいので、加熱しない線状体に比べ強度は小さいものでよい。
【００２１】
次に、前記実施の形態に示す粘着式バランスウエイトの剥ぎ取り器具１Ａおよび１Ｂの使用方法を、図３および図４について説明する。図３は、前記実施の形態に係る粘着式バランスウエイトの剥ぎ取り器具の使用状態を示す斜視図、図４は、前記実施の形態に係る粘着式バランスウエイトの剥ぎ取り器具の使用状態を示す断面図である。図３および図４では、被着体として自動車の車輪を構成するホイール１２を例に示している。ホイール１２には、バランスウエイト１０が粘着剤層１１によって粘着されている。
【００２２】
そこで、まず、把持部２を手に持って、ホイール１２に粘着したバランスウエイト１０の粘着剤層１１とホイール１２との間に線状体４を引き入れ又は押し入れて、図３および図４に示すように粘着剤層１１とホイール１２との境界付近に沿って移動させると、バランスウエイト１０の粘着剤層１１とホイール１２との粘着が分離されるので、ホイール１２よりバランスウエイト１０を剥ぎ取ることができる。
特に、図２に示す実施の形態の粘着式バランスウエイトの剥ぎ取り器具１Ｂでは、線状体４ａが通電により加熱でき、線状体４ａはスイッチ７を介し電池６（電源）に接続されているので、線状体４ａはスイッチ７をＯＮにして加熱することができる。従って、加熱した線状体４ａで粘着剤層を軟化させることができるので、線状体４ａをバランスウエイト１０の粘着剤層１１とホイール１２との間に引き入れたり、押し入れたり、および粘着剤層１１とホイール１２との境界付近に沿って移動させるのが一層容易に可能となる。
【００２３】
この線状体４、４ａの移動は、粘着剤層１１とホイール１２との境界に沿って移動させるのが、粘着剤がホイール１２に残ることがなくバランスウエイト１０を剥ぎ取ることができるので好ましい。
また、ホイール１２に接触するのは線状体４、４ａであるので、バランスウエイトの剥ぎ取り作業でホイール１２を傷付けることもない。
【００２４】
なお、前記実施の形態は、この発明を制限するものではなく、この発明は要旨を逸脱しない範囲において、種々の変形が許容される。
【産業上の利用可能性】
【００２５】
この発明に係る粘着式バランスウエイトの剥ぎ取り器具は、自動車の車輪を構成するホイールに粘着したバランスウエイトの剥ぎ取りだけでなく、洗濯機、ゴルフクラブ、模型飛行機、釣り具、その他のバランスの修正を必要とする被着体に粘着剤層で粘着したバランスウエイトの剥ぎ取りに利用可能である。
【符号の説明】
【００２６】
１Ａ、１Ｂ  粘着式バランスウエイトの剥ぎ取り器具
２  把持部
３ａ、３ｂ  支持部材
４  線状体
４ａ  通電することによって加熱する線状体
６  電池
７  スイッチ
１０  バランスウエイト
１１  粘着剤層
１２  被着体としてのホイール
【図１】
2011092878.tif 000003
【図２】
2011092878.tif 000004
【図３】
2011092878.tif 000005
【図４】
2011092878.tif 000006